(57)【特許請求の範囲】
【請求項１】
メガネと同メガネを捜索するための捜索具とを組み合わせたメガネ捜索セットにおいて、
メガネは、捜索具から発せられた信号を受信する受信部と、捜索具から発せられた信号よりも到達距離が短い微弱な信号を発信する発信部と、受信部で捜索具から発せられた信号を受信した場合に発信部から所定の信号を発信するように制御する制御部とを有し、
捜索具は、所定の信号を発信する発信部と、メガネから発せられた信号を受信する受信部と、受信部でメガネから発せられた信号を受信した場合に報知をする報知部とを有することを特徴とするメガネ捜索セット。
【請求項２】
前記メガネは、身体に装着されていることを検出する検出スイッチを有し、検出スイッチでメガネが身体に装着されていることを検出した場合に受信部と発信部の駆動を停止することを特徴とする請求項１に記載のメガネ捜索セット。
【請求項３】
前記メガネは、発信部をレンズの後方に配置して、発信部から発信した信号をレンズを通して発信するように構成したことを特徴とする請求項１又は請求項２に記載のメガネ捜索セット。
【発明の詳細な説明】
【技術分野】
【０００１】
本発明は、メガネと同メガネを捜索するための捜索具とを組み合わせたメガネ捜索セットに関するものである。
【背景技術】
【０００２】
従来より、メガネの載置場所を忘れてしまった場合にメガネを探し出すことができるようにするために、メガネと捜索具とを組み合わせたメガネ捜索セットが考案されている（たとえば、特許文献１参照）。
【０００３】
この従来のメガネ捜索セットは、捜索具に所定の信号を発する発信部を設けるとともに、メガネに所定の信号を受信する受信部と所定の音声を発する報知部とを設けた構成となっていた。
【０００４】
そして、捜索具を操作して、捜索具の発信部から所定の信号を発信すると、メガネに設けられた受信部が所定の信号を受信し、それにより、報知部から所定の音声を発し、その音声を聞き取ることでメガネの載置場所を探し出すようにしていた。
【０００５】
【特許文献１】特開２００２−４９３７３号公報
【発明の開示】
【発明が解決しようとする課題】
【０００６】
ところが、上記従来のメガネ捜索セットでは、メガネの載置場所を探し出すときに、離れたメガネから発せられた音声を聞き取らなければ、メガネの載置場所を知ることができないものであったため、メガネが新聞や雑誌などの下に埋もれてしまっている場合や、耳が聞き取りにくい場合には、メガネの載置場所を円滑に探し出すことが困難となるおそれがあった。
【課題を解決するための手段】
【０００７】
そこで、請求項１に係る本発明では、メガネと同メガネを捜索するための捜索具とを組み合わせたメガネ捜索セットにおいて、メガネは、捜索具から発せられた信号を受信する受信部と、捜索具から発せられた信号よりも到達距離が短い微弱な信号を発信する発信部と、受信部で捜索具から発せられた信号を受信した場合に発信部から所定の信号を発信するように制御する制御部とを有し、捜索具は、所定の信号を発信する発信部と、メガネから発せられた信号を受信する受信部と、受信部でメガネから発せられた信号を受信した場合に報知をする報知部とを有することにした。
【０００８】
また、請求項２に係る本発明では、前記請求項１に係る本発明において、前記メガネは、身体に装着されていることを検出する検出スイッチを有し、検出スイッチでメガネが身体に装着されていることを検出した場合に受信部と発信部の駆動を停止することにした。
【０００９】
また、請求項３に係る本発明では、前記請求項１又は請求項２に係る本発明において、前記メガネは、発信部をレンズの後方に配置して、発信部から発信した信号をレンズを通して発信するように構成することにした。
【発明の効果】
【００１０】
そして、本発明では、以下に記載する効果を奏する。
【００１１】
すなわち、本発明では、メガネと同メガネを捜索するための捜索具とを組み合わせたメガネ捜索セットにおいて、メガネは、捜索具から発せられた信号を受信する受信部と、所定の信号を発信する発信部と、受信部で捜索具から発せられた信号を受信した場合に発信部から所定の信号を発信するように制御する制御部とを有し、捜索具は、所定の信号を発信する発信部と、メガネから発せられた信号を受信する受信部と、受信部でメガネから発せられた信号を受信した場合に報知をする報知部とを有することにしているために、手元の捜索具の報知部から報知されることになり、メガネの載置場所を円滑に探し出すことができる。
【００１２】
また、本発明では、メガネが、身体に装着されていることを検出する検出スイッチを有し、検出スイッチでメガネが身体に装着されていることを検出した場合に受信部と発信部の駆動を停止することにしているために、メガネが身体に装着されており捜索の必要がないときには電源の供給を停止することができ、電源の消費電力を低減させることができて電源の寿命を長期化することができる。
【００１３】
さらに、本発明では、メガネが、発信部をレンズの後方に配置して、発信部から発信した信号をレンズを通して発信するように構成することにしているために、メガネのレンズを有効に利用してメガネの発信部から信号を発信することができる。
【発明を実施するための最良の形態】
【００１４】
以下に、本発明に係るメガネ捜索セットの具体的な構成について図面を参照しながら説明する。
【００１５】
図１に示すように、メガネ捜索セット１は、メガネ２と、そのメガネ２を捜索するための捜索具３とを組み合わせたものである。
【００１６】
まず、メガネ２の構成について説明すると、メガネ２は、後述する捜索具３から発せられた所定の信号を受信する回路からなる受信部４と、後述する捜索具３から発せられた所定の信号よりも微弱な所定の周波数の信号（たとえば、到達距離約２メートルの赤外線。）を発信する回路からなる発信部５と、所定の音声や光や振動を発する回路からなる報知部６とを有するとともに、これらの受信部４、発信部５、報知部６との間で信号を相互に送信して制御を行う回路からなる制御部７を有している。
【００１７】
また、メガネ２は、受信部４、発信部５、報知部６、制御部７を駆動するための電源８を有しており、この電源８と受信部４、発信部５、報知部６、及び制御部７とは、メガネ２が使用者の身体に装着されていることを検出するための検出スイッチ９を介して接続されている。
【００１８】
具体的には、メガネ２は、受信部４、発信部５、報知部６、制御部７、電源８、検出スイッチ９を実装した回路基板をケーシングに収容し、そのケーシングをメガネ２のフレームに取付けている。
【００１９】
たとえば、メガネ２のフレームの眉間部分にケーシングを取付けるとともに、プッシュオフ型の検出スイッチ９の筐体を回路基板に固定し、検出スイッチ９の筐体に進退自在に設けられたスイッチロッドの先端部にメガネ２のノーズパッドを取付けている。そして、使用者がメガネ２を装着している場合には、使用者の鼻がノーズパッドを介して検出スイッチ９のスイッチロッドを押圧し、これにより、検出スイッチ９がオフ状態（非導通状態）となり、電源８から受信部４、発信部５、報知部６、制御部７への電力供給が停止して受信部４、発信部５、報知部６、制御部７の駆動が停止される。一方、使用者がメガネ２を装着していない場合には、検出スイッチ９のスイッチロッドが押圧されず、これにより、検出スイッチ９がオン状態（導通状態）となり、電源８から受信部４、発信部５、報知部６、制御部７への電力供給が行われて受信部４、発信部５、報知部６、制御部７が駆動される。
【００２０】
また、受信部４の実際に信号を受信する部分（たとえば、受光面。）や発信部５の実際に信号を発信する部分（たとえば、発光面。）をメガネ２のレンズの後方に配置し、メガネ２のレンズを介して信号を受信又は発信するようにしている。
【００２１】
次に、捜索具３の構成について説明すると、捜索具３は、前述したメガネ２の発信部５から発せられる信号とは異なる所定の周波数の信号（たとえば、到達距離約４メートルの赤外線。）を発信する回路からなる発信部10と、メガネ２から発せられた所定の信号を受信する回路からなる受信部11と、所定の音声や光や振動を発する回路からなる報知部12とを有するとともに、これらの発信部10、受信部11、報知部12との間で信号を相互に送信して制御を行う回路からなる制御部13を有している。
【００２２】
また、捜索具３は、発信部10、受信部11、報知部12、制御部13を駆動するための電源14を有しており、この電源14と発信部10、受信部11、報知部12、及び制御部13とは、操作スイッチ15を介して接続されている。
【００２３】
具体的には、捜索具３は、発信部10、受信部11、報知部12、制御部13、電源14、プッシュオン型の操作スイッチ15を実装した回路基板をケーシングに収容している。そして、使用者が操作スイッチ15を押圧操作すると、操作スイッチ15がオン状態（導通状態）となり、電源14から発信部10、受信部11、報知部12、制御部13への電力供給が行われて発信部10、受信部11、報知部12、制御部13が駆動される。一方、使用者が操作スイッチ15を押圧操作しないと、操作スイッチ15がオフ状態（非導通状態）となり、電源14から発信部10、受信部11、報知部12、制御部13への電力供給が停止されて発信部10、受信部11、報知部12、制御部13の駆動が停止される。
【００２４】
メガネ捜索セット１は、以上に説明したように構成しており、使用者がメガネ２を探す場合には、まず、捜索具３の操作スイッチ15を押圧操作する。
【００２５】
これにより、捜索具３の制御部13は、発信部10から所定の信号を発信するように制御するとともに、受信部11が所定の信号を受信した場合には、報知部12から所定の音声や光や振動を発するように制御する。
【００２６】
一方、メガネ２の制御部７は、メガネ２が使用者に装着されている場合は、それを検出スイッチ９で検出して駆動が停止された状態となっているが、メガネ２が使用者に装着されていない場合には、それを検出スイッチ９が検出して駆動状態となり、捜索具３の発信部10から発せられた信号をメガネ２の受信部４が受信したときに、メガネ２の報知部６から所定の音声や光や振動を発するとともに、メガネ２の発信部５から所定の信号を発信するように制御する。
【００２７】
このように、上記メガネ捜索セット１では、メガネ２に、捜索具３から発せられた信号を受信する受信部４と、所定の信号を発信する発信部５と、受信部４で捜索具３から発せられた信号を受信した場合に発信部５から所定の信号を発信するように制御する制御部７とを設け、一方、捜索具３に、所定の信号を発信する発信部10と、メガネ２から発せられた信号を受信する受信部11と、受信部11でメガネ２から発せられた信号を受信した場合に報知をする報知部12とを設けた構成となっている。
【００２８】
そのため、上記構成のメガネ捜索セット１では、メガネ２を探すときに、メガネ２の発信部５から発せられる信号の到達距離内になると使用者の手元にある捜索具３の報知部12から報知されることになり、その報知に使用者が容易に気づくことができ、メガネ２の載置場所を円滑に探し出すことができる。
【００２９】
また、上記メガネ捜索セット１では、メガネ２が身体に装着されていることを検出する検出スイッチ９を有し、検出スイッチ９でメガネ２が身体に装着されていることを検出した場合にメガネ２の受信部４と発信部５と報知部６と制御部７の駆動を停止するように構成している。
【００３０】
そのため、上記構成のメガネ捜索セット１では、メガネ２が身体に装着されており捜索の必要がないときにはメガネ２の電源８の供給を停止することができ、電源８の消費電力を低減させることができて電源８の寿命を長期化することができる。
【００３１】
さらに、上記メガネ捜索セット１では、メガネ２の受信部４や発信部５をレンズの後方に配置して、受信部４で受信する信号をレンズを通して受信し、また、発信部５から発信した信号をレンズを通して発信するように構成するようにしている。
【００３２】
そのため、上記構成のメガネ捜索セット１では、メガネ２のレンズを有効に利用して、たとえば、メガネ２の受信部４で受信する光信号を集光させたり、メガネ２の発信部５から発信する光信号を所定の指向性を持たせて拡散させたりすることができ、メガネ２のレンズ作用による信号の受信や発信を容易に行うことができる。
【図面の簡単な説明】
【００３３】
【図１】メガネ捜索セットを示す説明図。
【符号の説明】
【００３４】
１  メガネ捜索セット                    ２  メガネ
３  捜索具                              ４  受信部
５  発信部                              ６  報知部
７  制御部                              ８  電源
９  検出スイッチ                        10  発信部
11  受信部                              12  報知部
13  制御部                              14  電源
15  操作スイッチ
【図１】
0004777954.tif 000002